(57)【特許請求の範囲】
【請求項１】
外部の複数箇所に設置されているデータ収集端末を経由して一般ユーザのユーザ携帯端末とデータ通信するデータ処理装置であって、
前記一般ユーザの移動目標位置を取得する目標取得手段と、
前記データ収集端末により前記ユーザ携帯端末から取得された携帯識別データを受信するデータ受信手段と、
前記携帯識別データを取得した前記データ収集端末の収集端末位置を検出する位置検出手段と、
前記収集端末位置から前記移動目標位置への移動経路データを生成する経路生成手段と、
生成された前記移動経路データの少なくとも一部を前記データ収集端末から前記携帯識別データで前記ユーザ携帯端末に返信する経路返信手段と、を有し、
前記経路生成手段は、複数の前記収集端末位置を経由する前記移動経路データを生成し、
前記経路返信手段は、次の前記収集端末位置までの前記移動経路データを前記ユーザ携帯端末に返信するデータ処理装置。
【請求項２】
前記目標取得手段は、前記携帯識別データを取得する前記データ収集端末により前記ユーザ携帯端末から前記移動目標位置を取得する請求項１に記載のデータ処理装置。
【請求項３】
前記目標取得手段は、前記携帯識別データを取得する前記データ収集端末に前記一般ユーザにより入力操作される前記移動目標位置を取得する請求項１に記載のデータ処理装置。
【請求項４】
前記移動目標位置が前記携帯識別データとともに登録されるユーザ登録手段を、さらに有し、
前記目標取得手段は、取得された前記携帯識別データに対応する前記移動目標位置を前記ユーザ登録手段から取得する請求項１に記載のデータ処理装置。
【請求項５】
前記目標取得手段は、前記移動目標位置が前記携帯識別データとともに登録される外部のユーザ登録装置に前記携帯識別データを転送して返信される前記移動目標位置を受信する請求項１に記載のデータ処理装置。
【請求項６】
前記経路生成手段は、前記収集端末位置から前記移動目標位置への移動距離データも算出し、
前記経路返信手段は、算出された前記移動距離データも前記ユーザ携帯端末に返信する請求項１ないし５の何れか一項に記載のデータ処理装置。
【請求項７】
前記経路生成手段は、前記収集端末位置から前記移動目標位置への移動予想時間も算出し、
前記経路返信手段は、算出された前記移動予想時間も前記ユーザ携帯端末に返信する請求項１ないし６の何れか一項に記載のデータ処理装置。
【請求項８】
前記一般ユーザのユーザ属性データを取得する属性取得手段を、さらに有し、
前記経路生成手段は、前記ユーザ属性データを反映させて前記移動経路データと前記移動予想時間とを生成する請求項７に記載のデータ処理装置。
【請求項９】
前記一般ユーザのユーザ属性データを取得する属性取得手段を、さらに有し、
前記経路生成手段は、前記ユーザ属性データを反映させて前記移動経路データを生成する請求項１ないし７の何れか一項に記載のデータ処理装置。
【請求項１０】
前記位置検出手段は、前記データ収集端末から前記収集端末位置を受信する請求項１ないし９の何れか一項に記載のデータ処理装置。
【請求項１１】
特定のネット接続端末のメールアドレスが前記携帯識別データとともに登録されるユーザ登録手段と、
受信された前記携帯識別データにより対応する前記メールアドレスを検索するアドレス検索手段と、
検索された前記メールアドレスにより前記移動経路データを電子メールで前記ネット接続端末に送信する経路送信手段とを、
さらに有する請求項１ないし１０の何れか一項に記載のデータ処理装置。
【請求項１２】
生成された前記移動経路データを前記携帯識別データとともに保持するデータ保持手段と、
所定のウェブサイトをインターネットに開設するサイト開設手段と、
前記インターネットにより前記ウェブサイトを閲覧するネット接続端末から携帯検索データを受信する検索受付手段と、
受け付けられた前記携帯検索データで前記携帯識別データを検索するデータ検索手段と、
検索された前記携帯識別データに対応する前記移動経路データを前記ウェブサイトで前記ネット接続端末に提示する経路提示手段とを、
さらに有する請求項１ないし１１の何れか一項に記載のデータ処理装置。
【請求項１３】
複数箇所に設置されているデータ収集端末と、前記データ収集端末を経由して一般ユーザのユーザ携帯端末とデータ通信するデータ処理装置と、を有するデータ通信システムであって、
請求項１ないし１２の何れか一項に記載の前記データ処理装置と、
前記ユーザ携帯端末から前記携帯識別データを取得して前記データ処理装置に送信するとともに前記データ処理装置から返信された前記移動経路データを前記ユーザ携帯端末に配信する前記データ収集端末と、
を有するデータ通信システム。
【請求項１４】
前記データ収集端末は、前記ユーザ携帯端末から前記携帯識別データと前記移動目標位置とを取得して請求項２に記載の前記データ処理装置に送信する請求項１３に記載のデータ通信システム。
【請求項１５】
前記データ収集端末は、入力操作された前記移動目標位置を請求項３に記載の前記データ処理装置に送信する請求項１３に記載のデータ通信システム。
【請求項１６】
前記移動目標位置が前記携帯識別データとともに登録され、請求項５に記載の前記データ処理装置から前記携帯識別データを受信して対応する前記移動目標位置を返信するユーザ登録装置を、さらに有する請求項１３に記載のデータ通信システム。
【請求項１７】
外部の複数箇所に設置されているデータ収集端末を経由して一般ユーザのユーザ携帯端末とデータ通信するデータ処理装置のためのコンピュータプログラムであって、
前記一般ユーザの移動目標位置を取得する目標取得処理と、
前記データ収集端末により前記ユーザ携帯端末から取得された前記携帯識別データを受信するデータ受信処理と、
前記携帯識別データを取得した前記データ収集端末の収集端末位置を検出する位置検出処理と、
前記収集端末位置から前記移動目標位置への移動経路データを生成する経路生成処理と、
生成された前記移動経路データの少なくとも一部を前記データ収集端末から前記携帯識別データで前記ユーザ携帯端末に返信する経路返信処理と、
を前記データ処理装置に実行させ、
前記経路生成処理は、複数の前記収集端末位置を経由する前記移動経路データを生成し、
前記経路返信処理は、次の前記収集端末位置までの前記移動経路データを前記ユーザ携帯端末に返信するためのコンピュータプログラム。
【請求項１８】
外部の複数箇所に設置されているデータ収集端末を経由して一般ユーザのユーザ携帯端末とデータ通信するデータ処理装置のデータ処理方法であって、
前記一般ユーザの移動目標位置を取得する目標取得工程と、
前記データ収集端末により前記ユーザ携帯端末から取得された携帯識別データを受信するデータ受信工程と、
前記携帯識別データを取得した前記データ収集端末の収集端末位置を検出する位置検出工程と、
前記収集端末位置から前記移動目標位置への移動経路データを生成する経路生成工程と、
生成された前記移動経路データの少なくとも一部を前記データ収集端末から前記携帯識別データで前記ユーザ携帯端末に返信する経路返信工程と、を有し、
前記経路生成工程は、複数の前記収集端末位置を経由する前記移動経路データを生成し、
前記経路返信工程は、次の前記収集端末位置までの前記移動経路データを前記ユーザ携帯端末に返信するデータ処理方法。
【発明の詳細な説明】
【技術分野】
【０００１】
本発明は、外部の複数箇所に設置されているデータ収集端末を経由して一般ユーザのユーザ携帯端末とデータ通信するデータ処理装置、このデータ処理装置を有するデータ通信システム、データ処理装置のコンピュータプログラムおよびデータ処理方法、に関する。
【背景技術】
【０００２】
現在、いわゆるナビゲーションシステムが普及しており、自動車に設置するカーナビタイプ、人間が携帯できるハンドヘルドタイプ、携帯電話端末へのリアルタイムサービス、等がある。
【０００３】
上述のようなナビゲーションシステムでは、一般ユーザが利用する端末装置にＧＰＳ（Global Positioning System）機能が実装されており、ＧＰＳ衛星から電波を受信することで現在位置を測位する。そこで、一般ユーザが移動目標位置を端末装置に入力することで、現在位置から移動目標位置への移動経路データが端末装置で生成されて一般ユーザに提供される。
【０００４】
また、いわゆるインターネットには、ナビゲーションサービスを提供しているウェブサイトがある。そこで、インターネットに接続できるパーソナルコンピュータや携帯電話端末ならば、ＧＰＳ機能を具備していなくともナビゲーションサービスを利用することができる。
【０００５】
現在、上述のようなナビゲーションシステムとして各種の提案がある（例えば、特許文献１〜４参照）。
【特許文献１】特開２００２−２６７４８７号公報
【特許文献２】特開２００４−００５３８８号公報
【特許文献３】特開２００４−１３９５８５号公報
【特許文献４】再特ＷＯ２００２−０２３１２８号公報
【発明の開示】
【発明が解決しようとする課題】
【０００６】
現在、大都市での災害時に、膨大な一般ユーザが帰宅難民となることが懸念されている。この場合、一般ユーザは徒歩で帰宅することを余儀なくされるが、通常は鉄道などの交通機関を利用しているために適切な帰路を判断することが困難である。
【０００７】
このような場合、ナビゲーションシステムを携帯している一般ユーザは問題なく帰路を入手することができる。しかし、ハンドヘルドタイプのナビゲーションシステムや、ナビゲーションシステムが実装されている携帯電話端末は、充分には普及していない。
【０００８】
この点、携帯電話端末は一般に普及している。従って、前述のようにナビゲーションサービスを提供しているウェブサイトに携帯電話端末でアクセスできれば、やはり適切な帰路を入手することができる。しかし、ウェブサイトにアクセスできない携帯電話端末の所有者も膨大である。
【０００９】
また、この場合は災害時などに多数の携帯電話端末から特定のウェブサイトにアクセスが集中することになる。この場合、ウェブサービスや携帯電話サービスが停滞する可能性が高い。
【００１０】
本発明は上述のような課題に鑑みてなされたものであり、災害時などに一般ユーザに携帯電話端末などのユーザ携帯端末で自宅への帰路などを簡単に取得させることができる、データ処理装置、このデータ処理装置を有するデータ通信システム、データ処理装置のコンピュータプログラムおよびデータ処理方法、を提供するものである。
【課題を解決するための手段】
【００１１】
本発明のデータ処理装置は、外部の複数箇所に設置されているデータ収集端末を経由して一般ユーザのユーザ携帯端末とデータ通信するデータ処理装置であって、一般ユーザの移動目標位置を取得する目標取得手段と、データ収集端末によりユーザ携帯端末から取得された携帯識別データを受信するデータ受信手段と、携帯識別データを取得したデータ収集端末の収集端末位置を検出する位置検出手段と、収集端末位置から移動目標位置への移動経路データを生成する経路生成手段と、生成された移動経路データの少なくとも一部をデータ収集端末から携帯識別データでユーザ携帯端末に返信する経路返信手段と、を有し、経路生成手段は、複数の収集端末位置を経由する移動経路データを生成し、経路返信手段は、次の収集端末位置までの移動経路データをユーザ携帯端末に返信する。
【００１２】
本発明のデータ通信システムは、複数箇所に設置されているデータ収集端末と、データ収集端末を経由して一般ユーザのユーザ携帯端末とデータ通信するデータ処理装置と、を有するデータ通信システムであって、本発明のデータ処理装置と、ユーザ携帯端末から携帯識別データを取得してデータ処理装置に送信するとともにデータ処理装置から返信された移動経路データをユーザ携帯端末に配信するデータ収集端末と、を有する。
【００１３】
本発明のコンピュータプログラムは、外部の複数箇所に設置されているデータ収集端末を経由して一般ユーザのユーザ携帯端末とデータ通信するデータ処理装置のためのコンピュータプログラムであって、一般ユーザの移動目標位置を取得する目標取得処理と、データ収集端末によりユーザ携帯端末から取得された携帯識別データを受信するデータ受信処理と、携帯識別データを取得したデータ収集端末の収集端末位置を検出する位置検出処理と、収集端末位置から移動目標位置への移動経路データを生成する経路生成処理と、生成された移動経路データの少なくとも一部をデータ収集端末から携帯識別データでユーザ携帯端末に返信する経路返信処理と、をデータ処理装置に実行させ、経路生成処理は、複数の収集端末位置を経由する移動経路データを生成し、経路返信処理は、次の収集端末位置までの移動経路データをユーザ携帯端末に返信する。
【００１４】
本発明のデータ処理方法は、外部の複数箇所に設置されているデータ収集端末を経由して一般ユーザのユーザ携帯端末とデータ通信するデータ処理装置のデータ処理方法であって、一般ユーザの移動目標位置を取得する目標取得工程と、データ収集端末によりユーザ携帯端末から取得された携帯識別データを受信するデータ受信工程と、携帯識別データを取得したデータ収集端末の収集端末位置を検出する位置検出工程と、収集端末位置から移動目標位置への移動経路データを生成する経路生成工程と、生成された移動経路データの少なくとも一部をデータ収集端末から携帯識別データでユーザ携帯端末に返信する経路返信工程と、を有し、経路生成工程は、複数の収集端末位置を経由する移動経路データを生成し、経路返信工程は、次の収集端末位置までの移動経路データをユーザ携帯端末に返信する。
【００１５】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１６】
また、本発明の各種の構成要素は、個々に独立した存在である必要もなく、複数の構成要素が一個のデバイスとして形成されていること、一つの構成要素が複数のデバイスで形成されていること、ある構成要素が他の構成要素の一部であること、ある構成要素の一部と他の構成要素の一部とが重複していること、等でよい。
【００１７】
また、本発明の方法には複数の工程を順番に記載してあるが、その記載の順番は複数の工程を実行する順番を限定するものではない。このため、本発明の方法を実施するときには、その複数の工程の順番は内容的に支障しない範囲で変更することができる。
【００１８】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００１９】
また、本発明で云うデータ処理装置は、コンピュータプログラムを読み取って対応するデータ処理を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定のデータ処理を実行するように構築された専用の論理回路、これらの組み合わせ、等として実施することができる。
【００２０】
なお、本発明でコンピュータプログラムに対応した各種動作をデータ処理装置に実行させることは、各種デバイスをデータ処理装置に動作制御させることなども意味している。
【００２１】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等でよい。
【発明の効果】
【００２２】
本発明のデータ処理装置では、データ収集端末によりユーザ携帯端末から取得された携帯識別データを受信するとき、そのデータ収集端末の収集端末位置も検出し、一般ユーザの移動目標位置も取得する。そして、収集端末位置から移動目標位置への移動経路データを生成し、生成された移動経路データの少なくとも一部をデータ収集端末から携帯識別データでユーザ携帯端末に返信する。このため、データ収集端末にアクセスした一般ユーザのユーザ携帯端末に、その現在位置である収集端末位置から移動目標位置への移動経路データが提供される。従って、例えば、災害時などに一般ユーザがコンビニエンスストアなどのデータ収集端末に携帯電話端末などのユーザ携帯端末でアクセスするだけで、自宅への帰路などを簡単に取得することができる。
【発明を実施するための最良の形態】
【００２３】
本発明の実施の一形態を図面を参照して以下に説明する。本実施の形態のデータ通信システム１０００は、図２に示すように、少なくとも一個のデータ処理装置１００、複数のデータ収集端末２００、複数のユーザ携帯端末３００、データ通信回線ＣＣ、を有する。
【００２４】
そして、本実施の形態のデータ処理装置１００は、外部の複数箇所に設置されているデータ収集端末２００を経由して、一般ユーザのユーザ携帯端末３００とデータ通信する。
【００２５】
本実施の形態のデータ処理装置１００は、図１に示すように、一般ユーザの移動目標位置であるユーザ自宅位置ＹＨＰを取得する目標取得部１１０と、データ収集端末２００によりユーザ携帯端末３００から取得された携帯識別データである携帯メールアドレスＣＭＡを受信するデータ受信部１２０と、携帯メールアドレスＣＭＡを取得したデータ収集端末２００の収集端末位置ＣＴＰを検出する位置検出部１３０と、収集端末位置ＣＴＰからユーザ自宅位置ＹＨＰへの移動経路データＴＭＤを生成する経路生成部１４０と、生成された移動経路データＴＭＤの少なくとも一部をデータ収集端末２００から携帯メールアドレスＣＭＡでユーザ携帯端末３００に返信する経路返信部１５０と、を有する。
【００２６】
より詳細には、本実施の形態のデータ処理装置１００は、例えば、所定のサービス業者のサーバシステムなどからなり、インターネットや衛星回線などのように、災害時にもデータ通信に障害が発生しにくいデータ通信回線ＣＣで複数のデータ収集端末２００と接続されている。
【００２７】
そのデータ収集端末２００は、例えば、災害時に避難所となる駅舎の自動改札機、災害時に避難所となるコンビニエンスストアのＰＯＳ（Point Of Sales）端末、等からなる。
【００２８】
データ収集端末２００は、自身の収集端末位置ＣＴＰが個別にデータ登録されている。この収集端末位置ＣＴＰは、例えば、住所のテキストデータやＧＰＳ（Global Positioning System）データからなる。このため、データ処理装置１００の位置検出部１３０は、データ収集端末２００から収集端末位置ＣＴＰを受信する。
【００２９】
ユーザ携帯端末３００は、具体的には携帯電話端末やＰＤＡ（Personal Digital Assistance）等からなり、携帯メールアドレスＣＭＡ、ユーザ自宅位置ＹＨＰ、がデータ登録されている。
【００３０】
このユーザ携帯端末３００は、いわゆるブルートゥースや赤外線通信などによりデータ収集端末２００とデータ通信する。このため、データ処理装置１００の目標取得部１１０は、携帯メールアドレスＣＭＡを取得するデータ収集端末２００によりユーザ携帯端末３００からユーザ自宅位置ＹＨＰを取得する。
【００３１】
なお、本実施の形態では、ユーザ携帯端末３００を携帯する一般ユーザとは、詳細には後述するが、災害時の被災者である。以下ではユーザ携帯端末３００の一般ユーザを必要により被災者と呼称する。
【００３２】
また、本実施の形態のデータ通信システム１０００では、前述のように複数のデータ収集端末２００がコンビニエンスストアなどの複数箇所に分散されて設置されている。そこで、データ処理装置１００の経路生成部１４０は、複数の収集端末位置ＣＴＰを経由する移動経路データＴＭＤを生成する。
【００３３】
また、経路生成部１４０は、収集端末位置から移動目標位置への移動距離データも算出する。そこで、経路返信部１５０は、算出された移動距離データもユーザ携帯端末３００に返信する。
【００３４】
データ処理装置１００は、上述のようにデータ収集端末２００によりユーザ携帯端末３００から携帯メールアドレスＣＭＡを取得し、この携帯メールアドレスＣＭＡでデータ収集端末２００からユーザ携帯端末３００に移動経路データＴＭＤと移動距離データＴＤＤとを返信する。
【００３５】
このため、データ処理装置１００は、詳細には後述するが、移動経路データＴＭＤと移動距離データＴＤＤとがメール本文として設定された電子メールをデータ収集端末２００からユーザ携帯端末３００に送信する。
【００３６】
本実施の形態のデータ処理装置１００は、前述のようにサーバシステムなどからなり、実装されているコンピュータプログラムに対応して各種の処理動作を実行することにより、上述のような各部１１０〜が論理的に実現されている。
【００３７】
このようなコンピュータプログラムは、例えば、一般ユーザのユーザ自宅位置ＹＨＰを取得する目標取得処理と、データ収集端末２００によりユーザ携帯端末３００から取得された携帯メールアドレスＣＭＡを受信するデータ受信処理と、携帯メールアドレスＣＭＡを取得したデータ収集端末２００の収集端末位置ＣＴＰを検出する位置検出処理と、収集端末位置ＣＴＰからユーザ自宅位置ＹＨＰへの移動経路データＴＭＤを生成する経路生成処理と、生成された移動経路データＴＭＤの少なくとも一部をデータ収集端末２００から携帯メールアドレスＣＭＡでユーザ携帯端末３００に返信する経路返信処理と、をデータ処理装置１００に実行させるように記述されている。
【００３８】
上述のような構成において、本実施の形態のデータ処理装置１００のサービス業者は、例えば、ユーザ携帯端末３００で携帯電話サービスを(被災者となりえる)一般ユーザに提供している電話サービス企業と、データ収集端末２００を所有する鉄道会社やコンビニエンスストアなどと業務提携する。
【００３９】
そこで、電話サービス企業や鉄道会社やコンビニエンスストアなどは、災害時にユーザ携帯端末３００で自宅までの経路案内サービスを有償や無償で提供することを、その利用方法とともに一般ユーザに広告する。
【００４０】
上述のような状態で、例えば、地震や台風などの災害が発生した場合、一般ユーザは自宅から離間した位置で被災者となることがある。このような被災者は避難所に避難してから、災害が沈静した時点で自宅まで帰宅することになる。
【００４１】
上述のような災害時には、その被災地の駅舎やコンビニエンスストアは臨時に避難所となる。このとき、避難所となった駅舎やコンビニエンスストアのデータ収集端末２００は、一時的に通常業務から経路案内に機能が切り換えられる。
【００４２】
具体的には、データ収集端末２００のデータ送信先が、鉄道会社やコンビニエンスストアの本社のサーバシステムから、データ処理装置１００に切り換えられる。さらに、送信データの内容やフォーマットも、データ処理装置１００に対応して切り換えられる。
【００４３】
また、学校や病院なども臨時に避難所となる。その場合、災害救助機関が避難所に可動のデータ収集端末２００を設置する。このような状態で、避難所の被災者には、ユーザ携帯端末３００で自宅までの経路が案内されることが通知される。
【００４４】
そこで、この案内を希望する被災者はユーザ携帯端末３００でデータ収集端末２００にアクセスする。すると、データ収集端末２００はユーザ携帯端末３００からユーザ自宅位置ＹＨＰと携帯メールアドレスＣＭＡとを取得する。
【００４５】
そこで、このデータ収集端末２００は、自身に登録されている収集端末位置ＣＴＰとともに、ユーザ自宅位置ＹＨＰと携帯メールアドレスＣＭＡとをデータ処理装置１００に送信する。
【００４６】
すると、図５に示すように、この各種データを受信したデータ処理装置１００では(ステップＳ１−Ｙ)、受信した収集端末位置ＣＴＰとユーザ自宅位置ＹＨＰと携帯メールアドレスＣＭＡとが適正であることを確認する(ステップＳ２〜Ｓ４)。
【００４７】
各データが適正であることが確認されると、その収集端末位置ＣＴＰからユーザ自宅位置ＹＨＰまでの移動経路データＴＭＤが生成される(ステップＳ５)。この移動経路データＴＭＤの生成は、いわゆるナビゲーションシステムと同様なデータ処理により実行される。
【００４８】
なお、データ処理装置１００は、代表的な避難所の収集端末位置ＣＴＰも事前にデータ登録されている。そこで、データ処理装置１００は、上述のように移動経路データＴＭＤを生成するとき、複数の収集端末位置ＣＴＰを経由する移動経路データＴＭＤを生成する。
【００４９】
さらに、データ処理装置１００は、上述のように生成した移動経路データＴＭＤを内包する地図画像データを、例えば、インターネットの既存サービスから取得する(ステップＳ６)。
【００５０】
そして、その取得した地図画像データに移動経路データＴＭＤを描画する(ステップＳ７)。つぎに、その地図画像データに描画した移動経路データＴＭＤの線長により、移動距離データＴＤＤを算出する(ステップＳ８)。上述のように移動距離データＴＤＤが算出されると、これを内包した移動経路データＴＭＤのテキストデータが所定のアルゴリズムにより生成される。
【００５１】
そして、このテキストデータがメール本文、携帯メールアドレスＣＭＡが宛先、地図画像データが添付ファイル、として設定された電子メールが作成され(ステップＳ９)、データ収集端末２００にオンラインで返信される(Ｓ１０)。
【００５２】
このデータ収集端末２００は、データ処理装置１００から受信した電子メールをユーザ携帯端末３００に転送する。そこで、被災者は、図３に示すように、ユーザ携帯端末３００で受信した電子メールのメール本文を参照することにより、移動経路データＴＭＤをテキストデータで確認することができる。
【００５３】
この移動経路データＴＭＤは、現在の収集端末位置ＣＴＰからユーザ自宅位置ＹＨＰまで、複数の収集端末位置ＣＴＰを経由している。さらに、その複数の収集端末位置ＣＴＰおよびユーザ自宅位置ＹＨＰの間隔が、移動距離データＴＤＤとして表記されている。
【００５４】
また、この移動経路データＴＭＤの電子メールには、地図画像データが添付されている。そこで、メール本文の「地図」なるリンクテキストが入力操作されると、ユーザ携帯端末３００が対応する機能を具備する場合、図４に示すように、地図画像データが表示出力される。
【００５５】
このように表示出力される地図画像データには、移動経路データＴＭＤが描画されており、その移動経路データＴＭＤには複数の収集端末位置ＣＴＰも内包されている。そこで、被災者は、ユーザ携帯端末３００で確認した移動経路データＴＭＤを参考に自宅まで移動することになる。
【００５６】
このとき、被災者は複数のデータ収集端末２００を目標として移動するので、そのデータ収集端末２００に到達するごとに同様な操作を実行すれば、道を間違えていないことが確認される。
【００５７】
なお、移動する被災者が道を間違えたようなときには、最寄りのコンビニエンスストアのデータ収集端末２００で同様な操作を実行すれば、新規の移動経路データＴＭＤを取得することができる。
【００５８】
本実施の形態のデータ処理装置１００では、上述のようにデータ収集端末２００によりユーザ携帯端末３００から取得された携帯メールアドレスＣＭＡを受信するとき、そのデータ収集端末２００の収集端末位置ＣＴＰも検出し、一般ユーザのユーザ自宅位置ＹＨＰも取得する。
【００５９】
そして、収集端末位置ＣＴＰからユーザ自宅位置ＹＨＰへの移動経路データＴＭＤを生成し、生成された移動経路データＴＭＤの少なくとも一部をデータ収集端末２００から携帯メールアドレスＣＭＡでユーザ携帯端末３００に返信する。
【００６０】
このため、データ収集端末２００にアクセスした一般ユーザのユーザ携帯端末３００に、その現在位置である収集端末位置ＣＴＰからユーザ自宅位置ＹＨＰへの移動経路データＴＭＤが提供される。
【００６１】
従って、上述のように災害時などに一般ユーザがコンビニエンスストアなどのデータ収集端末２００に携帯電話端末などのユーザ携帯端末３００でアクセスするだけで、自宅への帰路などを簡単に取得することができる。
【００６２】
しかも、本実施の形態のデータ通信システム１０００では、一般ユーザのユーザ携帯端末３００に事前にユーザ自宅位置ＹＨＰが登録されており、このユーザ自宅位置ＹＨＰがユーザ携帯端末３００からデータ収集端末２００によりデータ処理装置１００に送信される。
【００６３】
このため、災害時に被災者がユーザ携帯端末３００やデータ収集端末２００にユーザ自宅位置ＹＨＰを入力操作する煩雑な作業が必要なく、一般ユーザによりユーザ自宅位置ＹＨＰが不適なフォーマットで入力操作されるようなことも防止できる。
【００６４】
同様に、携帯メールアドレスＣＭＡもユーザ携帯端末３００に事前に登録されており、この携帯メールアドレスＣＭＡもユーザ携帯端末３００からデータ収集端末２００によりデータ処理装置１００に送信される。
【００６５】
このため、災害時に被災者がユーザ携帯端末３００やデータ収集端末２００に携帯メールアドレスＣＭＡを入力操作する煩雑な作業が必要なく、一般ユーザによる入力ミスなども防止することができる。
【００６６】
しかも、被災者がユーザ携帯端末３００をデータ収集端末２００に接続して経路案内を要望すれば、上述のユーザ自宅位置ＹＨＰと携帯メールアドレスＣＭＡとが同時に自動的にユーザ携帯端末３００からデータ収集端末２００によりデータ処理装置１００に送信される。
【００６７】
さらに、データ収集端末２００には自身の収集端末位置ＣＴＰが登録されており、これが上述のユーザ自宅位置ＹＨＰおよび携帯メールアドレスＣＭＡと同時に自動的にデータ処理装置１００に送信される。このため、データ処理装置１００は、移動経路データＴＭＤの生成に必要な収集端末位置ＣＴＰとユーザ自宅位置ＹＨＰを簡単かつ確実に取得することができる。
【００６８】
また、データ処理装置１００は、複数の収集端末位置ＣＴＰを経由する移動経路データＴＭＤを生成する。このため、被災者は複数の避難所を経由して自宅まで移動することができる。
【００６９】
しかも、移動途中でも避難所のデータ収集端末２００で新規に移動経路データＴＭＤを取得することができる。このため、道に迷っていないかを確認することができ、迷っていた場合でも、新規に適正な移動経路データＴＭＤを即座に取得することができる。
【００７０】
さらに、データ処理装置１００は、移動経路データＴＭＤを生成するときに収集端末位置ＣＴＰからユーザ自宅位置ＹＨＰへの移動距離データＴＤＤも算出し、その算出された移動距離データＴＤＤもユーザ携帯端末３００に返信する。
【００７１】
このため、被災者は自宅までの距離を認識して移動することができる。特に、移動距離データＴＤＤが、複数の収集端末位置ＣＴＰの間隔ごとに生成されるので、被災者は次の避難所までの距離を認識して移動することができる。
【００７２】
また、データ処理装置１００は、移動経路データＴＭＤをテキストデータとして電子メールでユーザ携帯端末３００に提供する。このため、被災者はＧＰＳ機能やウェブアクセス機能がないユーザ携帯端末３００でも移動経路データＴＭＤを確認することができる。
【００７３】
しかも、データ処理装置１００は、移動経路データＴＭＤが描画された地図画像データも上述の電子メールに添付する。このため、ユーザ携帯端末３００が添付画像を表示できるならば、被災者は地図画像データにより移動経路データＴＭＤを確認することができる。
【００７４】
なお、本発明は本実施の形態に限定されるものではなく、その要旨を逸脱しない範囲で各種の変形を許容する。例えば、上記形態では災害時に一般ユーザが帰宅することを想定し、移動目標位置がユーザ自宅位置ＹＨＰからなることを例示した。
【００７５】
しかし、上述のようなデータ通信システム１０００で、平常時に一般ユーザに所望の移動経路データＴＭＤを提供してもよい。その場合、例えば、一般ユーザはユーザ携帯端末３００に所望の移動目標位置を入力操作し、そのユーザ携帯端末３００でデータ収集端末２００にアクセスすればよい。
【００７６】
また、一般ユーザが事前に家族や知人の住所をユーザ携帯端末３００に登録しておき、その住所を移動目標位置としてユーザ携帯端末３００からデータ収集端末２００に入力してもよい。この場合、一般ユーザは任意の位置から家族や知人の自宅までの移動経路を簡単に取得することができるので、災害時でも迅速に避難することができる。
【００７７】
さらに、一般ユーザがユーザ携帯端末３００でデータ収集端末２００にアクセスしてから、そのデータ収集端末２００に移動目標位置を入力操作してもよい。このような場合、例えば、データ収集端末２００が大画面でのキーワード検索などを実行できれば、一般ユーザは簡単に移動目標位置を入力操作することができる。
【００７８】
また、ユーザ自宅位置ＹＨＰが携帯メールアドレスＣＭＡとともに外部のユーザ登録装置に登録されていてもよい。この場合、データ処理装置１００は、取得した携帯メールアドレスＣＭＡをユーザ登録装置に転送して返信されるユーザ自宅位置ＹＨＰを受信する。このため、例えば、データ処理装置１００が携帯電話会社のユーザデータベースにアクセスしてユーザ自宅位置ＹＨＰを取得するようなことができる。
【００７９】
さらに、データ処理装置１００にユーザ自宅位置ＹＨＰが携帯メールアドレスＣＭＡとともに事前に登録されていてもよい。この場合、一般ユーザがユーザ携帯端末３００でデータ収集端末２００からデータ処理装置１００まで携帯メールアドレスＣＭＡが送信されると、対応するユーザ自宅位置ＹＨＰが検索されて移動経路データＴＭＤが生成される。
【００８０】
また、上記形態では、データ処理装置１００が複数の収集端末位置ＣＴＰを経由する移動経路データＴＭＤを生成することを例示した。しかし、現在の収集端末位置ＣＴＰから移動目標位置までの移動経路データのみを生成してもよい（図示せず）。
【００８１】
さらに、上記形態では、データ処理装置１００が、現在の収集端末位置ＣＴＰからユーザ自宅位置ＹＨＰまで複数の収集端末位置ＣＴＰを経由する移動経路データＴＭＤを生成してユーザ携帯端末３００に返信することを例示した。
【００８２】
しかし、データ処理装置１００が、次段の収集端末位置ＣＴＰまでの移動経路データＴＭＤのみをユーザ携帯端末３００に返信してもよい。この場合、一般ユーザは次段の収集端末位置ＣＴＰまで移動するごとに移動経路データＴＭＤを取得して移動する。
【００８３】
従って、移動経路データＴＭＤを何回も取得する必要がある。しかし、長距離を移動する場合や、複雑な移動経路データＴＭＤを案内する場合には、より確実に移動経路データＴＭＤを案内することができる。
【００８４】
また、上記形態では、データ処理装置１００が、収集端末位置ＣＴＰからユーザ自宅位置ＹＨＰへの移動距離データＴＤＤも算出し、その算出された移動距離データＴＤＤもユーザ携帯端末３００に返信することを例示した。
【００８５】
しかし、データ処理装置１００が、収集端末位置ＣＴＰからユーザ自宅位置ＹＨＰへの移動予想時間も算出し、その算出された移動予想時間もユーザ携帯端末３００に返信してもよい。この場合、被災者は自宅に到着する時刻を予測することができる。このため、例えば、深夜の移動を中止して安全な時間帯に移動するようなことができる。
【００８６】
さらに、上記形態では、データ処理装置１００は、一般ユーザが成人男子か女性か子供か老人かなどを認識することなく移動経路データＴＭＤを生成することを例示した。しかし、上述のようなユーザ属性データをデータ処理装置１００がユーザ携帯端末３００などから取得してもよい。
【００８７】
その場合、データ処理装置１００は、そのユーザ属性データを反映させて移動経路データＴＭＤを生成する。例えば、経由する複数の避難所として、一般ユーザが成人男子の場合にはガソリンスタンドなどを優先的に設定し、子供の場合には小学校を優先的に設定し、老人の場合には病院を優先的に設定する、等が想定できる。
【００８８】
また、データ処理装置１００は、上述のユーザ属性データを反映させて移動予想時間を算出してもよい。例えば、女性や子供の場合には移動予想時間を１．５倍とし、老人では２倍とする、等が想定できる。
【００８９】
さらに、上記形態ではデータ収集端末２００に収集端末位置ＣＴＰが登録されており、その収集端末位置ＣＴＰがデータ収集端末２００からデータ処理装置１００に送信されることを例示した。
【００９０】
しかし、当然ながら、収集端末位置ＣＴＰがデータ収集端末２００の端末ＩＤデータなどとともにデータ処理装置１００に登録されており、データ収集端末２００がデータ処理装置１００に送信する端末ＩＤデータで対応する収集端末位置ＣＴＰが検索されてもよい。
【００９１】
また、上記形態ではユーザ携帯端末３００からデータ処理装置１００に携帯識別データとして携帯メールアドレスＣＭＡが送信され、その携帯メールアドレスＣＭＡでユーザ携帯端末３００に移動経路データＴＭＤが電子メールとして送信されることを例示した。
【００９２】
しかし、上述のような携帯識別データがユーザ携帯端末３００のブルートゥースや赤外線通信の通信ＩＤデータからなり、ブルートゥースや赤外線通信によりデータ収集端末２００とユーザ携帯端末３００とが通信してもよい。
【００９３】
さらに、上記形態では被災者のユーザ携帯端末３００に移動経路データＴＭＤがデータ処理装置１００によりデータ収集端末２００から提供されることを例示した。しかし、このような移動経路データＴＭＤが被災者の家族や知人に提供されてもよい。
【００９４】
その場合、データ処理装置１００は、特定のネット接続端末のメールアドレスが携帯メールアドレスＣＭＡとともに登録されるユーザ登録手段と、受信された携帯メールアドレスＣＭＡにより対応するメールアドレスを検索するアドレス検索手段と、検索されたメールアドレスにより移動経路データＴＭＤを電子メールでネット接続端末に送信する経路送信手段とを、さらに有すればよい（図示せず）。
【００９５】
この場合、一般ユーザは事前に家族や知人のパーソナルコンピュータなどのネット接続端末のメールアドレスを自身の携帯メールアドレスＣＭＡとともにデータ処理装置１００に登録しておく。
【００９６】
このような状態で、被災者が前述のようにユーザ携帯端末３００でデータ収集端末２００からデータ処理装置１００に携帯メールアドレスＣＭＡなどを送信すると、移動経路データＴＭＤがユーザ携帯端末３００に返信されるとともに、登録されているメールアドレスで家族や知人に移動経路データＴＭＤが送信される。このため、被災者が移動経路データＴＭＤにより帰宅するとき、その移動経路データＴＭＤが家族などに自動的に通知される。
【００９７】
特に、前述のように複数の収集端末位置ＣＴＰを経由した移動経路データＴＭＤが生成され、そのデータ収集端末２００で被災者が新規に移動経路データＴＭＤを取得すれば、その移動経路データＴＭＤにより家族は被災者の移動状況をリアルタイムに確認することができる。
【００９８】
また、データ処理装置１００が、生成された移動経路データＴＭＤを携帯メールアドレスＣＭＡとともに保持するデータ保持手段と、所定のウェブサイトをインターネットに開設するサイト開設手段と、インターネットによりウェブサイトを閲覧するネット接続端末から携帯検索データを受信する検索受付手段と、受け付けられた携帯検索データで携帯メールアドレスＣＭＡを検索するデータ検索手段と、検索された携帯メールアドレスＣＭＡに対応する移動経路データＴＭＤをウェブサイトでネット接続端末に提示する経路提示手段とを、さらに有してもよい（図示せず）。
【００９９】
この場合、例えば、データ処理装置１００により被災者の帰宅状況を確認するウェブサイトがインターネットに開設される。そこで、被災者の家族や知人が自宅のパーソナルコンピュータなどのネット接続端末で上述のウェブサイトを閲覧する。そして、そのウェブサイトに被災者の携帯メールアドレスＣＭＡを入力することで、被災者が取得した移動経路データＴＭＤを確認することができる。
【０１００】
さらに、本実施の形態ではデータ処理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１０１】
また、上記形態ではインターネットとして現状のものを想定したが、これが次世代のインターネットであるＮＧＮ（Next Generation Network）でもよい。なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に
変更することができる。
【図面の簡単な説明】
【０１０２】
【図１】本発明の実施の形態のデータ通信システムの論理構造を示す模式的なブロック図である。
【図２】データ通信システムの物理構造を示すブロック図である。
【図３】ユーザ携帯端末の表示画像を示す模式的な正面図である。
【図４】ユーザ携帯端末の表示画像を示す模式的な正面図である。
【図５】データ処理装置によるデータ処理方法を示すフローチャートである。
【符号の説明】
【０１０３】
１００    データ処理装置
１１０    目標取得部
１２０    データ受信部
１３０    位置検出部
１４０    経路生成部
１５０    経路返信部
２００    データ収集端末
３００    ユーザ携帯端末
１０００    データ通信システム
ＣＣ    データ通信回線
ＣＭＡ    携帯メールアドレス
ＣＴＰ    収集端末位置
ＴＤＤ    移動距離データ
ＴＭＤ    移動経路データ
ＹＨＰ    ユーザ自宅位置
【図１】
0004915311.tif 000002
【図２】
0004915311.tif 000003
【図３】
0004915311.tif 000004
【図４】
0004915311.tif 000005
【図５】
0004915311.tif 000006